(57)【要約】【課題】部品点数の削減が可能な携帯電子機器を提供すること。【解決手段】本発明の携帯電子機器は、第１面３１Ａに第１表示透過領域３３が形成され、前記第１面３１Ａと異なる第２面３２Ａに第２表示透過領域３４が形成された第１筐体３と、折り曲げられた状態で、前記第１筐体３の内部に配置される表示部材５と、を備え、前記表示部材５は、一方の面５２に、前記第１表示透過領域３３を介して前記第１筐体３の外部に透過される第１表示領域５３と、前記第２表示透過領域３４を介して前記第１筐体３の外部に透過される第２表示領域５４と、を有することを特徴とする。【選択図】図２
2010232851.tif 000002
【特許請求の範囲】
【請求項１】
第１面に第１表示透過領域が形成され、前記第１面と異なる第２面に第２表示透過領域が形成された第１筐体と、
折り曲げられた状態で前記第１筐体の内部に配置される表示部材と、を備え、
前記表示部材は、一方の面に、前記第１表示透過領域を介して前記第１筐体の外部に透過される第１表示領域と、前記第２表示透過領域を介して前記第１筐体の外部に透過される第２表示領域と、を有することを特徴とする携帯電子機器。
【請求項２】
前記第１筐体の内部には、折り曲げられた状態の前記表示部材を支持するガイド部が設けられ、
前記表示部材は、前記第１表示透過領域を介して前記第１筐体の外部に透過される領域又は前記第２表示透過領域を介して前記第１筐体の外部に透過される領域が変化可能に前記ガイド部を介して前記第１筐体の内部を前記第１面および前記第２面に沿って移動可能に構成されることを特徴とする請求項１に記載の携帯電子機器。
【請求項３】
前記第１筐体の内部における前記表示部材の位置を検出する検出部と、
所定の処理を行う機能処理部と、
前記検出部により検出された前記表示部材の位置に基づいて、前記機能処理部に所定の処理を実行させる制御部と、を有することを特徴とする請求項２に記載の携帯電子機器。
【発明の詳細な説明】
【技術分野】
【０００１】
本発明は、携帯電話機等の携帯電子機器に関する。
【背景技術】
【０００２】
近年、携帯電子機器の１つである携帯電話機は、表示部を有する表示部側筐体と操作部を有する操作部側筐体とを開閉可能に連結した折り畳み式のものが主流となりつつある。
【０００３】
また、折り畳み式の携帯電話機においては、表示部としての第１表示部に加え、折り畳んだ状態でも外部に露出する第２表示部を搭載した機種も多く普及しており、携帯電話機における利便性の向上が図られている（例えば、特許文献１参照）。
【先行技術文献】
【特許文献】
【０００４】
【特許文献１】特開２００３−３７６６４号公報
【発明の概要】
【発明が解決しようとする課題】
【０００５】
しかしながら、特許文献１に記載の携帯電話機では、第１表示部と第２表示部とをそれぞれ個別に設けているため、部品点数が増加するという問題があった。
【０００６】
本発明は、部品点数の削減が可能な携帯電子機器を提供することを目的とする。
【課題を解決するための手段】
【０００７】
本発明は、第１面に第１表示透過領域が形成され、前記第１面と異なる第２面に第２表示透過領域が形成された第１筐体と、折り曲げられた状態で前記第１筐体の内部に配置される表示部材と、を備え、前記表示部材は、一方の面に、前記第１表示透過領域を介して前記第１筐体の外部に透過される第１表示領域と、前記第２表示透過領域を介して前記第１筐体の外部に透過される第２表示領域と、を有することを特徴とする携帯電子機器に関する。
【０００８】
また、前記第１筐体の内部には、折り曲げられた状態の前記表示部材を支持するガイド部が設けられ、前記表示部材は、前記第１表示透過領域を介して前記第１筐体の外部に透過される領域又は前記第２表示透過領域を介して前記第１筐体の外部に透過される領域が変化可能に前記ガイド部を介して前記第１筐体の内部を前記第１面および前記第２面に沿って移動可能に構成されることが好ましい。
【０００９】
また、前記第１筐体の内部における前記表示部材の位置を検出する検出部と、所定の処理を行う機能処理部と、前記検出部により検出された前記表示部材の位置に基づいて、前記機能処理部に所定の処理を実行させる制御部と、を有することが好ましい。
【発明の効果】
【００１０】
本発明によれば、部品点数の削減が可能な携帯電子機器を提供することができる。
【図面の簡単な説明】
【００１１】
【図１】本発明の一実施形態の携帯電話機を開状態で示す斜視図である。
【図２】図１に示す携帯電話機を閉状態で示す斜視図である。
【図３】図１に示す表示部側筐体の分解組立図である。
【図４】図２に示すＡ−Ａ断面図である。
【図５】図１に示す携帯電話機の回路構成を示すブロック図である。
【図６】（ａ）は、第１状態における携帯電話機の正面図であり、（ｂ）は、第１状態において携帯電話機を開いた場合の正面図である。
【図７】（ａ）は、第２状態における携帯電話機の正面図であり、図７（ｂ）は、第２状態において携帯電話機を開いた場合の正面図である。
【図８】図６（ａ）に示すＢ−Ｂ断面図である。
【図９】図７（ａ）に示すＣ−Ｃ断面図である。
【発明を実施するための形態】
【００１２】
以下、本発明を実施するための形態について、図面を参照しながら説明する。
まず、本発明の携帯電子機器の一実施形態である携帯電話機１の基本構造について、図１及び図２を参照しながら説明する。
図１は、本発明の一実施形態の携帯電話機１を開状態で示す斜視図である。図２は、図１に示す携帯電話機１を閉状態で示す斜視図である。
【００１３】
図１及び図２に示すように、本実施形態に係る携帯電話機１は、第２筐体としての操作部側筐体２と、第１筐体としての表示部側筐体３とを備えて構成されている。操作部側筐体２と表示部側筐体３とは、操作部側筐体２の上端部と表示部側筐体３の下端部とがヒンジ機構を備える連結部４を介して、開閉軸Ｘを中心に開閉可能に連結されている。これにより、携帯電話機１は、連結部４を介して連結された操作部側筐体２と表示部側筐体３とを相対的に動かすことが可能になる。
【００１４】
つまり、携帯電話機１は、操作部側筐体２と表示部側筐体３とが連結部４を介して開いた（露出する）状態（以下、「開状態」という。図１参照）と、操作部側筐体２と表示部側筐体３とが連結部４を介して対向する（折り畳まれた）状態（以下、「閉状態」という。図２参照）と、に変更可能に構成されている。なお、閉状態とは、操作部側筐体２と表示部側筐体３とが互いに重なるように配置された状態であり、開状態とは、操作部側筐体２と表示部側筐体３とが互いに重ならない状態であり、操作部側筐体２と表示部側筐体３との重なる程度が小さくなるように配置された状態を含むものである。
【００１５】
操作部側筐体２は、外面がフロントケース２１及びリアケース２２により構成されている。フロントケース２１には、操作部１１と、携帯電話機１の使用者が通話時に発した音声が入力されるマイクとしての音声入力部１２と、磁石１６と、がそれぞれ設けられている。
【００１６】
操作部１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う決定操作キー１５とを有して構成されている。
【００１７】
操作部１１を構成する各キーそれぞれには、操作部側筐体２と表示部側筐体３との開閉状態や各種モード、あるいは起動されているアプリケーション等の種類に応じて所定の機能が割り当てられる（キー・アサイン）。そして、使用者が各キーを押圧することにより、各キーに割り当てられている機能に応じた動作が実行される。
【００１８】
音声入力部１２は、操作部側筐体２の長手方向における連結部４側と反対の端部側に配置される。つまり、音声入力部１２は、携帯電話機１の開状態において一方の端部側に配置される。
【００１９】
磁石１６は、操作部１１の決定操作キー１５の近傍に配置される。後述の検出部８は、この磁石１６による磁界の強さを検出する。
【００２０】
操作部側筐体２における一方側の側面には、外部機器（例えば、ホスト装置）と通信を行うためのインターフェース（図示せず）が設けられている。操作部側筐体２の他方側の側面には、所定の機能が割り当てられているサイドキー（図示せず）と、外部メモリの挿入及び取り出しが行われるインターフェース（図示せず）とが配置されている。各インターフェースは、不使用時にはキャップにより覆われている。
【００２１】
表示部側筐体３は、フロントケース３１及びリアケース３２により構成されている。また、表示部側筐体３は、フロントケース３１の外面（表示部側筐体３における正面）が第１面３１Ａを構成し、リアケース３２の外面（表示部側筐体３における背面）が第２面３２Ａを構成している。
【００２２】
フロントケース３１には、第１表示透過領域３３と、通話の相手側の音声を出力するスピーカ４７とが設けられている。
第１表示透過領域３３は、フロントケース３１の略中央部にフロントケース３１の外面（第１面３１Ａ）を開口することにより形成されており、透明部分を主体とする後述のトリムプレート３７で覆われる。
【００２３】
スピーカ４７は、表示部側筐体３の長手方向における連結部４とは反対の端部側に配置されている。つまり、スピーカ４７は、携帯電話機１の開状態における表示部側筐体３側の端部近傍に配置されている。
【００２４】
リアケース３２には、第２表示透過領域３４と、開口部３５と、が形成されている。
第２表示透過領域３４は、表示部側筐体３の長手方向における連結部４とは反対側の端部近傍に、リアケース３２の外面（第２面３２Ａ）を開口することにより形成されており、透明部分を主体とする後述のリアパネル３８に覆われる。
【００２５】
開口部３５は、表示部側筐体３の長手方向における連結部４側にリアケース３２の外面（第２面３２Ａ）を開口することにより形成されている。具体的には、開口部３５は、携帯電話機１の閉状態において操作部１１（本実施形態では、操作部１１における決定操作キー１５）に対応する位置に形成されている。また、開口部３５は、後述のスライド部６により開閉される。
【００２６】
図１及び図２に示すように、携帯電話機１は、操作部側筐体２の操作部１１及び表示部側筐体３の第１面３１Ａが外部に露出することにより開状態が構成され、操作部側筐体２の操作部１１が表示部側筐体３の第１面３１Ａと対向することにより閉状態が構成されている。
【００２７】
次に、表示部側筐体３の内部構造について、図３及び図４を参照しながら説明する。
図３は、図１に示す表示部側筐体３の分解組立図である。図４は、図２に示すＡ−Ａ断面図である。
図３及び図４に示すように、表示部側筐体３は、リアケース３２と、リアパネル３８と、スライド部６と、回路基板７と、シールドケース３９と、ガイド部３６と、有機ＥＬモジュール５と、フロントケース３１と、トリムプレート３７と、検出部８と、を備えて構成されている。
【００２８】
フロントケース３１とリアケース３２とは、フロントケース３１がリアケース３２の凹状の開口を覆うように配置され、互いの外周縁が重なり合うようにして結合されている。また、フロントケース３１とリアケース３２との間には、スライド部６と、回路基板７と、シールドケース３９と、ガイド部３６と、有機ＥＬモジュール５とが挟まれるようにして内蔵されている。
【００２９】
リアケース３２には、矩形状に開口した第２表示透過領域３４と、矩形状に開口した開口部３５とが形成されている。
第２表示透過領域３４は、表示部側筐体３の長手方向における連結部４とは反対側の端部近傍に形成されている。
【００３０】
開口部３５は、携帯電話機１の閉状態において操作部１１の決定操作キー１５と対向する位置に、決定操作キー１５の外形よりも大きくなるように形成されている。これにより、開口部３５は、携帯電話機１の閉状態において決定操作キー１５を外部に露出させることが可能となる。
【００３１】
リアパネル３８は、透明樹脂フィルムまたは金属が蒸着された樹脂フィルムからなり、光透過性を有する。リアパネル３８は、リアケース３２（表示部側筐体３の第２面３２Ａ）に貼り付けられ、第２表示透過領域３４を被覆している。
【００３２】
スライド部６は、開口部３５を開閉可能な開閉部６ａと、開閉部６ａの上面に設けられる操作突起部６ｂと、開閉部６ａの下面に設けられ、有機ＥＬモジュール５に連結されるモジュール連結部６ｃと、を備えて構成されている。
開閉部６ａは、開口部３５を被覆可能に矩形板状に形成されており、表示部側筐体３の長手方向に摺動可能にリアケース３２の内面側に取り付けられている。
【００３３】
操作突起部６ｂは、開閉部６ａの上面において、表示部側筐体３の長手方向における連結部４側に位置する端部に設けられており、開口部３５から突出した状態で開閉部６ａに連結されている。
【００３４】
モジュール連結部６ｃは、開閉部６ａの下面において、表示部側筐体３の長手方向における連結部４側に位置する端部に設けられている。また、モジュール連結部６ｃは、開閉部６ａの下面に直交した状態で開閉部６ａの下面側に延びるように形成されており、有機ＥＬモジュール５の第１面３１Ａに沿う側の端部（連結部４側の端部）と連結されている。つまり、操作突起部６ｂを操作してモジュール連結部６ｃを移動させることにより、有機ＥＬモジュール５が表示部側筐体３の内部を移動するように構成されている。また、モジュール連結部６ｃには、後述の検出部８が取り付けられている。
【００３５】
スライド部６は、操作突起部６ｂを用いて開閉部６ａを表示部側筐体３の長手方向に摺動させることにより、開口部３５を開放させることが可能となると共に、表示部側筐体３の内部に配置された有機ＥＬモジュール５を所定の方向に移動させることが可能になる。つまり、スライド部６を摺動させることにより、開口部３５を閉塞状態から開放状態の間で変化させることが可能となると共に、後述のガイド部３６を介して有機ＥＬモジュール５を表示部側筐体３の内部において移動させて第１表示透過領域３３及び第２表示透過領域３４を介して透過されるメイン表示部５３及びサブ表示部５４の面積を調整することが可能になる。
【００３６】
すなわち、有機ＥＬモジュール５は、第１表示透過領域３３を介して表示部側筐体３の外部に透過される領域又は第２表示透過領域３４を介して表示部側筐体３の外部に透過される領域が変化可能に、後述のガイド部３６を介して表示部側筐体３の内部を第１面３１Ａおよび第２面３２Ａに沿って移動可能に構成される。
【００３７】
なお、表示部側筐体３の内部における有機ＥＬモジュール５の位置は、後述の検出部８（図４参照）によって検出されており、有機ＥＬモジュール５の位置により有機ＥＬモジュール５におけるメイン表示部５３及びサブ表示部５４に表示される画像等が制御されるように構成されている。
【００３８】
回路基板７には、各種電子部品（図示せず）や回路（図示せず）等が配置されている。また、回路基板７には、有機ＥＬモジュール５を電気的に接続するためのコネクタ７ｂが配設されている。また、回路基板７には、フロントケース３１とリアケース３２の間に内蔵されたときに、表示部側筐体３の厚さ方向から視て開口部３５に対応する部分に切欠部７ａが形成されている。
【００３９】
シールドケース３９は、ノイズを遮断するための板金部材によって形成されており、外部からの高周波等のノイズが回路基板７に配置される各種電子部品等に作用するのを抑制する。また、シールドケース３９には、切欠部３９ａが形成されている。切欠部３９ａは、シールドケース３９がフロントケース３１とリアケース３２の間に内蔵されたときに、表示部側筐体３の厚さ方向から視て開口部３５に対応する部分に形成されている。
【００４０】
ガイド部３６は、表示部側筐体３の内部に折り曲げられた状態で配置される有機ＥＬモジュール５を折り曲げられた状態で支持する。具体的には、有機ＥＬモジュール５は、このガイド部３６を介して表示部側筐体３の内部を第１面３１Ａ及び第２面３２Ａに沿って移動可能に構成される。
【００４１】
ガイド部３６は、第１ガイド部３６ａと、第２ガイド部３６ｂと、を有して構成されている。第１ガイド部３６ａと第２ガイド部３６ｂとは、有機ＥＬモジュール５を挟むように離間して表示部側筐体３の内部に配置されている。
【００４２】
第１ガイド部３６ａは、シールドケース３９に固定されている。
第１ガイド部３６ａは、湾曲部３６ｃを備えて構成されている。湾曲部３６ｃは、表示部側筐体３の長手方向における連結部４と反対側の端部に形成されている。
【００４３】
第２ガイド部３６ｂは、湾曲部３６ｃと対向するように配設されている。
第２ガイド部３６ｂは、凹状部を備えて構成されている。凹状部は、湾曲部３６ｃと対向する位置に湾曲面３６ｄを有する略コの字状に形成されている。
【００４４】
有機ＥＬモジュール５は、非表示面５１を内側にして折り曲げられた状態で第１ガイド部３６ａに支持されて、表示部側筐体３の内部に配置されている。また、有機ＥＬモジュール５は、一方の面としての表示面５２に、第１表示透過領域３３を介して表示部側筐体３の外部に透過されるメイン表示部５３と、第２表示透過領域３４を介して表示部側筐体３の外部に透過されるサブ表示部５４と、備えて構成されている。
【００４５】
また、有機ＥＬモジュール５は、有機ＥＬモジュール５に接続されるフレキシブルプリント基板（ＦＰＣ）５５を備えており、フレキシブルプリント基板（ＦＰＣ）５５の先端に設けられたコネクタ５６により、回路基板７（コネクタ７ｂ）に接続されている。
【００４６】
有機ＥＬモジュール５は、表示部側筐体３の内部を表示部側筐体３の長手方向に移動可能に配設されている。
有機ＥＬモジュール５は、非表示面５１を湾曲部３６ｃに接触させ、一方の面としての表示面５２を湾曲面３６ｄに接触させることにより、湾曲部３６ｃ及び湾曲面３６ｄを介して第１面３１Ａ及び第２面３２Ａに沿って移動する。
【００４７】
有機ＥＬモジュール５の移動は、後述するように、閉状態において操作部１１がメイン表示部５３によって閉塞されると共にサブ表示部５４が第２表示透過領域３４を介して外部に透過される第１状態（図６及び図８参照）と、第１面３１Ａに沿う側の端部が第１状態よりガイド部３６の方向に位置すると共に操作部１１が開口部３５、切欠部７ａ、切欠部３９ａ、第１表示透過領域３３及び後述するトリムプレート３７に形成された切欠部３７ａを介して露出する第２状態（図７及び図９参照）との間で行われる。
【００４８】
フロントケース３１には、矩形状に開口した第１表示透過領域３３が形成されている。第１表示透過領域３３を介して有機ＥＬモジュール５のメイン表示部５３が外部に透過される。
【００４９】
トリムプレート３７は、アクリル樹脂、強化ガラス等の透明板によって形成されており、光透過性を有する。トリムプレート３７は、フロントケース３１（表示部側筐体３の第１面３１Ａ）に貼り付けられ、第１表示透過領域３３を被覆する。また、トリムプレート３７には、表示部側筐体３の厚さ方向から視て開口部３５に対応する部分に、切欠部３７ａが形成されている。
【００５０】
検出部８は、表示部側筐体３の内部における有機ＥＬモジュール５の位置を検出する。本実施形態においては、検出部８は磁気センサであり、操作部１１の決定操作キー１５の近傍に配置された磁石１６による磁界の強さを検出し、検出された磁界の強さに応じた検出信号を後述のＣＰＵ４５に出力する。検出部８は、スライド部６のモジュール連結部６ｃに取り付けられており、スライド部６の摺動に伴って表示部側筐体３の内部を移動する。スライド部６が開口部３５を閉塞している状態では、検出部８と磁石１６とは近接した位置にある。検出部８が表示部側筐体３の内部を移動すると、検出部８と磁石１６との距離が変化し、検出される磁界の強さが変化する。これにより、表示部側筐体３の内部における有機ＥＬモジュール５の位置を検出することができる。
【００５１】
次に、本発明の携帯電子機器の一実施形態である携帯電話機１の回路構成について、図５を参照しながら説明する。
図５は、図１に示す携帯電話機１の回路構成を示すブロック図である。
【００５２】
図５に示すように、携帯電話機１は、操作部１１と、音声入力部（マイク）１２と、メインアンテナ４０と、通信処理部８１と、機能処理部としての表示制御部９０と、音声処理部８３と、メモリ８４と、制御部としてのＣＰＵ４５と、電源部８６と、制御ＩＣ８７と、検出部８とが操作部側筐体２に配置され、第１表示領域としてのメイン表示部５３及び第２表示領域としてのサブ表示部５４を有する有機ＥＬモジュール５と、スピーカ４７と、ドライバＩＣ２６とが表示部側筐体３に配置されて構成されている。
【００５３】
メインアンテナ４０は、所定の使用周波数帯（例えば、８００ＭＨｚ）で外部装置と通信を行う。メインアンテナ４０により、音声通信のほか電子メールの送受信が行われる。
なお、本実施形態では、所定の使用周波数帯を８００ＭＨｚとしたが、異なる他の周波数帯であってもよい。また、メインアンテナ４０は、所定の使用周波数帯だけでなく、他の使用周波数帯（例えば、２ＧＨｚ）にも対応できるいわゆるデュアルバンド対応型による構成であってもよい。
【００５４】
通信処理部８１は、メインアンテナ４０によって受信した信号を復調処理し、処理後の信号をＣＰＵ４５に供給すると共に、ＣＰＵ４５から供給された信号を変調処理し、メインアンテナ４０を介して外部装置（基地局）に送信するよう構成される。
【００５５】
ＣＰＵ４５は、携帯電話機１の全体を制御する。ＣＰＵ４５は、例えば、通信処理部８１、表示制御部９０及び音声処理部８３に対して所定の制御を行う。
【００５６】
表示制御部９０は、ＣＰＵ４５の制御にしたがって、入力された画像データに対して所定の画像処理を行うと共に、画像処理された画像データをドライバＩＣ２５に出力する。
ドライバＩＣ２５は、表示制御部９０から入力された画像データをフレームメモリに蓄えると共に、該フレームメモリに蓄えられた画像データを所定のタイミングで有機ＥＬモジュール５のメイン表示部５３及びサブ表示部５４に出力する。
【００５７】
メイン表示部５３及びサブ表示部５４は、ドライバＩＣ２５から入力されたデータに基づいて、所定の文字や画像を表示する。メイン表示部５３及びサブ表示部５４には、ＣＰＵ４５の制御にしたがって、各機能を示す画像（例えば、アイコン等）や文字列等が表示される。
【００５８】
また、表示制御部９０は、後述の検出部８からの検出信号に基づいて、所定の機能（所定の処理）を実行し、メイン表示部５３及びサブ表示部５４に表示される表示内容の切り替え等の処理を行う機能処理部としても動作する。
【００５９】
検出部８は、先に述べたように表示部側筐体３の内部における有機ＥＬモジュール５の位置を検出する。検出部８による検出信号は、まずＣＰＵ４５に出力され、ＣＰＵ４５から表示制御部９０（機能処理部）に出力され、機能処理部としての表示制御部９０により検出信号に応じて所定の機能（所定の処理）が実行される。
【００６０】
メモリ８４は、所定のデータを記憶する。具体的には、メモリ８４には、各種機能プログラムや通信時に利用されるアドレス情報等が記憶されている。
【００６１】
音声処理部８３は、ＣＰＵ４５の制御にしたがって、通信処理部８１から供給された信号に対して所定の音声処理を行うと共に、音声処理された信号をスピーカ４７に出力する。スピーカ４７は、音声処理部８３から供給された信号に基づいて外部に放音（出力）する。また、音声処理部８３は、ＣＰＵ４５の制御にしたがって、音声入力部（マイク）１２から入力された信号に対して所定の処理をすると共に、処理された信号を通信処理部８１に出力する。通信処理部８１は、音声処理部８３から入力された信号に所定の処理を行うと共に、処理がされた信号をメインアンテナ４０に出力する。
【００６２】
電源部８６は、バッテリ（図示せず）を有して構成される。バッテリは、所定容量を有すると共に充電可能な電池である。
制御ＩＣ８７は、電源部８６から供給される電源電圧を所定の電源電圧に変換し、変換後の電源電圧を携帯電話機１における各部（例えば、ＣＰＵ４５等）に供給する。
【００６３】
次に、本実施形態の携帯電話機１の動作について、図６（ａ）から図９を参照しながら説明する。
図６（ａ）は、第１状態における携帯電話機１の正面図であり、図６（ｂ）は、第１状態において携帯電話機１を開いた場合の正面図である。図７（ａ）は、第２状態における携帯電話機１の正面図であり、図７（ｂ）は、第２状態において携帯電話機１を開いた場合の正面図である。図８は、図６（ａ）に示すＢ−Ｂ断面図である。図９は、図７（ａ）に示すＣ−Ｃ断面図である。
【００６４】
図６（ａ）及び図８に示すように、第１状態においては、操作部１１がメイン表示部５３に閉塞された状態となっている。また、所定の面積（図８に示す断面において矢印Ｆ１の長さを有する面積）のサブ表示部５４が第２表示透過領域３４を介して表示部側筐体３の外部に透過される。このとき、ＣＰＵ４５は、検出部８により検出された有機ＥＬモジュール５の位置に基づき、表示制御部９０（機能処理部）を制御して、例えば、サブ表示部５４に電波状況や時刻を表示させ、メイン表示部５３に通常の待ち受け画面や起動中の機能に関する画像や動画等を表示させる。
【００６５】
次いで、操作突起部６ｂを矢印Ｇの方向に移動させると、図７（ａ）及び図９に示すように、モジュール連結部６ｃが矢印Ｇの方向に移動する。モジュール連結部６ｃが矢印Ｇの方向に移動すると、モジュール連結部６ｃに連結された有機ＥＬモジュール５が第１面３１Ａ及び第２面３２Ａに沿って移動し、第２状態となる。この第２状態では、有機ＥＬモジュール５の第１面３１Ａに沿う側の端部が上記第１状態よりガイド部３６の方向に位置する。
このとき、第２表示透過領域３４全体を介してサブ表示部５４が外部に透過される。一方、第１表示透過領域３３を介して透過されるメイン表示部５３の面積は、第１状態と比較して小さくなる。
【００６６】
また、第２状態においては、操作部１１における決定操作キー１５が開口部３５、切欠部７ａ、切欠部３９ａ、第１表示透過領域３３及び切欠部３７ａを介して露出する。従って、図９に示すように、開口部３５から指等を差し入れて決定操作キー１５を操作することが可能になる。つまり、携帯電話機１が閉状態においても、決定操作キー１５への操作が可能となる。
【００６７】
第２状態においても、ＣＰＵ４５は、検出部８により検出された有機ＥＬモジュール５の位置に基づいて、表示制御部９０（機能処理部）を制御する。表示制御部９０（機能処理部）は、例えば、サブ表示部５４に起動中の機能に関する内容（ワンセグにおけるテレビ画面や音楽プレイヤーにおけるジャケット等）を表示させ、メイン表示部５３に電波状況や時刻等を表示させる等の制御を行う。
【００６８】
前述した構成を有する本実施形態の携帯電話機１によれば、以下に示す各効果が奏される。
【００６９】
本実施形態では、折り曲げ可能に構成される有機ＥＬモジュール５がメイン表示部５３及びサブ表示部５４を有しているため、単一の有機ＥＬモジュール（ディスプレイモジュール）５により複数の表示部を動作させることができる。これにより、複数のディスプレイモジュールを個々に設ける必要がなくなり、ディスプレイモジュールの点数を削減することができる。
【００７０】
また、本実施形態では、単一の有機ＥＬモジュール５を用いるため、有機ＥＬモジュール５の表示制御を行うドライバＩＣ２６やソフトを一つとすることができ、制御が容易となる。また、電力を供給するためのコネクタを一つとすることができるため、回路基板７のコネクタを一つとすることができ、回路基板７の実装面積を削減することができる。
【００７１】
また、本実施形態では、複数のディスプレイモジュールが不要となるため、携帯電話機１を容易に薄型化することができる。
【００７２】
また、本実施形態では、第２状態において、開口部３５を介して決定操作キー１５が外部に露出すると共に、サブ表示部５４の面積の第１状態よりも広くなる。これにより、携帯電話機１の操作性が向上する。閉状態においても、開状態でメイン表示部５３を見るようにサブ表示部５４を見ながら決定操作キー１５によりアプリケーション等の操作を行うことが可能になる。
【００７３】
また、メイン表示部５３及びサブ表示部５４に表示させる表示内容を、第１表示透過領域３３又は第２表示透過領域３４を介して露出する面積に合わせて変更することができる。これにより、携帯電話機１の使い勝手が向上する。
【００７４】
以上、好適な実施形態について説明したが、本発明は上述した実施形態に限定されることなく種々の形態で実施することができる。
例えば、本実施形態においては、連結部４により折り畳み可能な携帯電話機１の説明をしているが、本発明はこれに限定されず、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（ターン）式や、操作部側筐体２と表示部側筐体３とが一つの筐体に配置され連結部を有さない型式（ストレートタイプ）でもよい。また、携帯電話機１は、開閉及び回転可能ないわゆる２軸ヒンジタイプであってもよい。
【００７５】
また、本実施形態では、第１表示透過領域３３をフロントケース３１への開口により形成し、第２表示透過領域３４をリアケース３２への開口により形成しているが、第１表示透過領域及び第２表示透過領域は、表示部側筐体３内部に配置された有機ＥＬモジュール５を透過可能であればよく、透明材料、マジックミラー等を用いて形成してもよい。また、この場合、透明材料やマジックミラーを介して決定操作キー１５が操作可能であればよい。
【００７６】
また、本実施形態においては、第２表示透過領域３４は、表示部側筐体３の第２面３２Ａに形成されているが本発明はこれに限定されない。例えば、第２表示透過領域３４は、表示部側筐体３の側面に形成されていてもよい。
【００７７】
また、本実施形態においては、第１ガイド部３６ａは、シールドケース３９に固定されているが本発明はこれに限定されない。例えば、第１ガイド部３６ａは、シールドケース３９とは異なる部材に固定されていてもよい。また、第１ガイド部３６ａは、有機ＥＬモジュール５を支持するものであれば、携帯電話機１の内部に配置される部材に固定されていなくてもよい。
【００７８】
また、本実施形態においては、第２状態において第２表示透過領域全体を介してサブ表示部５４が、表示部側筐体３の外部に透過されるが本発明はこれに限定されない。例えば、サブ表示部５４は、第２状態において表示部側筐体３の外部に透過される面積が第１状態よりも広ければよい。
【００７９】
また、本実施形態においては、第２状態において操作部１１の操作決定キー１５のみが開口部３５、切欠部７ａ、切欠部３９ａ、第１表示透過領域３３、及び切欠部３７aを介して表示部側筐体３の外部に露出しているが本発明はこれに限定されない。機能操作決定キー１３や入力操作キー１４が露出するように構成してもよい。また、操作決定キー１５が外部に露出するような構成であれば、回路基板７、シールドケース３９、トリムプレート３７に切欠部が設けられていなくともよい。
【００８０】
また、本実施形態においては、検出部８に磁気センサを用いているが、本発明はこれに限定されない。検出部８は、表示部側筐体３の内部における有機ＥＬモジュール５の位置を検出することができれば、光センサやエンコーダ等のメカニカルセンサなどであってもよい。また、操作部側筐体２に磁石１６が設けられ、表示部側筐体３に検出部８が設けられているが、本発明はこれに限定されない。操作部側筐体２に検出部８が設けられ、表示部側筐体３に磁石１６が設けられていてもよい。
【００８１】
また、本実施形態においては、第２状態においてサブ表示部５４にワンセグのテレビ画面や音楽プレイヤーにおけるジャケットが表示されるが、本発明はこれに限定されない。サブ表示部５４に表示される内容は他の機能に関するものであってもよい。
【００８２】
また、本実施形態においては、検出部８による有機ＥＬモジュール５の位置の検出は、第１状態と第２状態の２段階で検出しているが、本発明はこれに限定されない。有機ＥＬモジュール５の位置を多段階に検出し、多段階に検出した状態に基づいて、メイン表示部５３及びサブ表示部５４に表示させる内容を表示制御部９０により切り替え又は変更させてもよい。
【００８３】
また、本実施形態においては、機能処理部による所定の処理として、表示制御部９０にメイン表示部５３及びサブ表示部５４の表示内容を制御させているが、本発明はこれに限定されない。例えば、連結部に電気的に携帯電話機１の開閉動作を制御する開閉動作部を設け、検出部８によって有機ＥＬモジュール５が第２状態の位置から第１状態の位置に移動したことが検出されると、開閉動作部に携帯電話機を開状態とする処理を実行させるように構成してもよい。
【００８４】
本発明は、携帯電話機以外の携帯電子機器に適用することができる。携帯電話機以外の携帯電子機器としては、例えば、折り畳み式のＰＨＳ（登録商標：Ｐｅｒｓｏｎａｌ  Ｈａｎｄｙ  ｐｈｏｎｅ  Ｓｙｓｔｅｍ）、ポータブルゲーム機、ポータブルナビゲーション装置、ＰＤＡ（Ｐｅｒｓｏｎａｌ  Ｄｉｇｉｔａｌ  Ａｓｓｉｓｔａｎｔ）、ノートパソコン等が挙げられるが、これらのみに限定されるものではない。
【符号の説明】
【００８５】
１    携帯電話機
２    操作部側筐体（第２筐体）
３    表示部側筐体（第１筐体）
４    連結部
５  有機ＥＬモジュール（表示部材）
６  スライド部
８  検出部
３１  フロントケース
３１Ａ  第１面
３２  リアケース
３２Ａ  第２面
３３  第１表示透過領域
３４  第２表示透過領域
３５  開口部
３６  ガイド部
３６Ａ  第１ガイド部
３６Ｂ  第２ガイド部
４５    ＣＰＵ（制御部）
５２    表示面（一方の面）
５３  メイン表示部
５４  サブ表示部
９０    表示制御部（機能処理部）
【図１】
2010232851.tif 000003
【図２】
2010232851.tif 000004
【図３】
2010232851.tif 000005
【図４】
2010232851.tif 000006
【図５】
2010232851.tif 000007
【図６】
2010232851.tif 000008
【図７】
2010232851.tif 000009
【図８】
2010232851.tif 000010
【図９】
2010232851.tif 000011